(57)【要約】【課題】使用者の意に反してタッチスイッチが非検知状態から検知状態に切り換わったときに、バーナの点火処理がなされることを防止したコンロを提供する。【解決手段】  左バーナ及び右バーナを収容したコンロ本体の上面を覆うガラス天板に、ガラス天板の上面への接触物又は接近物を検知するタッチスイッチ１０〜１３を設ける。加熱制御手段３１は、運転スイッチ１０がｏｆｆ状態からｏｎ状態に切り換わった後、ｏｆｆ状態に復帰したときに「待機状態」から「運転状態」に切り換える。「運転状態」において、点火準備スイッチ１１ａがｏｆｆ状態からｏｎ状態に切り換わった後、ｏｆｆ状態に復帰し、さらに、火力ＵＰスイッチ１３ａがｏｆｆ状態からｏｎ状態に切り換わった後、ｏｆｆ状態に復帰したときに、加熱制御手段３１は、左バーナの点火処理を実行する。【選択図】  図３
2005291661.tif 000002
【特許請求の範囲】
【請求項１】
加熱手段を収容するコンロ本体の上面を覆う天板に、使用者により操作されるために設けられて、該天板の上面への接触物又は接近物を検知する複数個のタッチスイッチと、
該タッチスイッチが検知状態にあるか非検知状態にあるかを把握し、把握結果に応じて、少なくとも前記加熱手段の作動開始の処理を実行する加熱制御手段とを備えたコンロにおいて、
前記加熱制御手段は、前記複数個のタッチスイッチのうちの予め選択された少なくとも２個のタッチスイッチが、非検知状態から検知状態に切り換わったときに、前記加熱手段の作動開始の処理を実行することを特徴とするコンロ。
【請求項２】
前記加熱手段の加熱量を変更する加熱量変更手段を備え、
前記複数のタッチスイッチには、前記加熱手段の作動を許可するための作動準備スイッチと、前記加熱量変更手段による前記加熱手段の加熱量の増加を指示するための加熱量ＵＰスイッチとが含まれ、
前記加熱制御手段は、前記作動準備スイッチが非検知状態から検知状態に切り換わった後、前記加熱量ＵＰスイッチが非検知状態から検知状態に切り換わったときに、前記加熱手段の作動開始の処理を実行することを特徴とする請求項１記載のコンロ。
【請求項３】
前記加熱手段を２個以上備え、
前記複数個のタッチスイッチのうちの１個は、使用者による他のタッチスイッチの操作が可能な運転状態と、使用者による他のタッチスイッチの操作が不能な待機状態とを切換える運転スイッチであり、
前記加熱制御手段は、前記運転状態において、各加熱手段に対して予め選択された、前記複数個のタッチスイッチのうちの前記運転スイッチ以外の少なくとも２個のタッチスイッチが非検知状態から検知状態に切り換わったときに、該少なくとも２個のタッチスイッチに対応した前記加熱手段の作動開始の処理を実行することを特徴とする請求項１記載のコンロ。
【請求項４】
前記２個以上の加熱手段に対して個別に設けられて、対応する加熱手段の加熱量を変更する加熱量変更手段を備え、
前記複数のタッチスイッチには、前記２個以上の加熱手段に対して個別に設けられた、各加熱手段の作動を許可するための作動準備スイッチと、前記加熱量変更手段による各加熱手段の加熱量の増加を指示するための加熱量ＵＰスイッチとが含まれ、
前記加熱制御手段は、前記運転状態において、いずれかの加熱手段に対して設けられた前記作動準備スイッチが非検知状態から検知状態に切り換わった後、該加熱手段に対して設けられた前記加熱量ＵＰスイッチが非検知状態から検知状態に切り換わったときに、該尾加熱手段の作動開始の処理を実行することを特徴とする請求項３記載のコンロ。
【発明の詳細な説明】
【技術分野】
【０００１】
本発明は、加熱手段を備えたコンロに関し、特に天板の上面に加熱手段の作動を指示するための操作部を備えたコンロに関する。
【背景技術】
【０００２】
従来より、図８に示したように、システムキッチンのカウンタトップに用意された開口にコンロ本体１０１を埋設するドロップイン式のコンロにおいて、ガスバーナ１００ａ，１００ｂが収容されるコンロ本体１０１の上面を覆うガラス天板１０２に、ガスバーナ１００ａ，１００ｂの点火／消火と火力調節を行うための操作つまみ１０３ａ，１０３ｂを設けたものが知られている（例えば特許文献１参照）。
【０００３】
かかるコンロによれば、前面に操作部を備えたコンロを設置する場合のように、カウンタトップの前面に操作部を臨ませる開口を設ける必要がなく、カウンタトップへのコンロの設置も容易に行うことができる。また、ガスバーナの点火／消火や火力調節を天板１０２に設けられて視認性が良い操作つまみ１０３ａ，１０３ｂにより行うことができるため、使用者の操作性が向上する。
【特許文献１】実開昭５８−１８６３０２号公報
【発明の開示】
【発明が解決しようとする課題】
【０００４】
図８に示したコンロによれば、操作つまみ１０３ａ，１０３ｂがガラス天板１０２の上面に突出して配置されているため、調理を行う際に邪魔になる場合がある。そこで、ガスバーナ１００ａ，１００ｂの操作手段として、例えば、静電容量式のセンサの検出部をガラス天板１０２の裏面に設けてガラス天板１０２の表面に操作部を備えたタッチスイッチを構成し、ガラス天板１０２の上面をフラットにすることが考えられる。
【０００５】
しかし、このようにガラス天板１０２に表面にタッチスイッチを設けた場合、調理中に使用者が無意識にタッチスイッチに触れてしまうことが生じ得る。また、子供がいたずらをしてタッチスイッチに触れたり、五徳１０４ａ，１０４ｂに載置したなべ等からの調理物の煮こぼれや、ガラス天板１０２に置かれた調理容器やガラス天板１０２への落下物等によりタッチスイッチが覆われることも生じ得る。
【０００６】
そして、これらの要因により、例えば左バーナ１００ａの点火を指示するためのタッチスイッチがｏｆｆ状態からｏｎ状態に切り換わると、左バーナ１００ａが点火されてしまうという不都合がある。
【０００７】
そこで、本発明はかかる不都合を解消し、使用者の意に反してタッチスイッチが非検知状態から検知状態に切り換わったときに、バーナの点火処理がなされることを防止したコンロを提供することを目的とする。
【課題を解決するための手段】
【０００８】
本発明は上記目的を達成するためになされたものであり、加熱手段を収容するコンロ本体の上面を覆う天板に、使用者により操作されるために設けられて、該天板の上面への接触物又は接近物を検知する複数個のタッチスイッチと、該タッチスイッチが検知状態にあるか非検知状態にあるかを把握し、把握結果に応じて、少なくとも前記加熱手段の作動開始の処理を実行する加熱制御手段とを備えたコンロの改良に関する。
【０００９】
そして、前記加熱制御手段は、前記複数個のタッチスイッチのうちの予め選択された少なくとも２個のタッチスイッチが、非検知状態から検知状態に切り換わったときに、前記加熱手段の作動開始の処理を実行することを特徴とする。
【００１０】
かかる本発明によれば、前記加熱制御手段は、予め選択された少なくとも２個のタッチスイッチが、非検知状態から検知状態に切り換わったときに、前記加熱手段の作動開始の処理を行う。そのため、使用者が無意識に１個のタッチスイッチに触れたときや、子供のいたずらや調理物の煮こぼれによって１個のタッチスイッチのみが非検知状態から検知状態に切り換わったときには、前記加熱手段は作動しない。そして、これにより、使用者の意に反して前記加熱手段の作動が開始されることを防止することができる。
【００１１】
また、前記加熱手段の加熱量を変更する加熱量変更手段を備え、前記複数のタッチスイッチには、前記加熱手段の作動を許可するための作動準備スイッチと、前記加熱量変更手段による前記加熱手段の加熱量の増加を指示するための加熱量ＵＰスイッチとが含まれ、前記加熱制御手段は、前記作動準備スイッチが非検知状態から検知状態に切り換わった後、前記加熱量ＵＰスイッチが非検知状態から検知状態に切り換わったときに、前記加熱手段の作動開始の処理を実行することを特徴とする。
【００１２】
かかる本発明によれば、前記加熱量ＵＰスイッチを前記加熱手段の作動開始を指示するためのスイッチとして転用することで、用意する必要があるタッチスイッチの個数を減らすことができる。また、前記加熱手段の作動開始の処理は、概念的には「加熱量の増加の指示」に含まれるため、前記加熱手段の作動開始の指示を前記加熱量ＵＰスイッチの操作によって行うことに対する使用者の違和感は少なく、使用者の使い勝手は良いと考えられる。
【００１３】
また、前記加熱手段を２個以上備え、前記複数個のタッチスイッチのうちの１個は、使用者による他のタッチスイッチの操作が可能な運転状態と、使用者による他のタッチスイッチの操作が不能な待機状態とを切換える運転スイッチであり、前記加熱制御手段は、前記運転状態において、各加熱手段に対して予め選択された、前記複数個のタッチスイッチのうちの前記運転スイッチ以外の少なくとも２個のタッチスイッチが非検知状態から検知状態に切り換わったときに、該少なくとも２個のタッチスイッチに対応した前記加熱手段の作動開始の処理を実行することを特徴とする。
【００１４】
かかる本発明によれば、前記待機状態からいずれかの加熱手段の作動開始の指示を行う場合、使用者は先ず前記運転スイッチを操作して前記待機状態から前記運転状態に切り換える必要がある。そのため、他のいずれか１個のタッチスイッチが非検知状態から検知状態に切り換わったときに、前記加熱手段の作動開始の処理を実行するようにしても、前記加熱手段の作動開始を指示するためには、２個のタッチスイッチの操作が必要となる。
【００１５】
しかし、既に前記運転状態とされて、前記２個以上の加熱手段のうちのいずれかが作動中であるときに、他の加熱手段の加熱開始指示を行うときには、前記運転スイッチ以外の他のタッチスイッチが非検知状態から検知状態に切り換わったときに、該他の加熱手段の加熱開始の処理を実行してしまうと、１個のタッチスイッチの操作で該他の加熱手段の加熱が開始される。そして、この場合には、使用者の無意識な操作や、こどものいたずら等により１個のタッチスイッチが非検知状態から検知状態に切り換わったときに、該他の加熱手段の作動が開始されてしまう。
【００１６】
そこで、本発明により、前記運転スイッチ以外の少なくとも２個のタッチスイッチが非検知状態から検知状態に切り換わったときに、前記加熱手段の作動開始の処理を実行するようにすることによって、前記運転状態であるときに、使用者の意に反して２個以上の前記加熱手段のうちのいずれかの作動開始の処理が実行されることを防止することができる。
【００１７】
また、前記２個以上の加熱手段に対して個別に設けられて、対応する加熱手段の加熱量を変更する加熱量変更手段を備え、前記複数のタッチスイッチには、前記２個以上の加熱手段に対して個別に設けられた、各加熱手段の作動を許可するための作動準備スイッチと、前記加熱量変更手段による各加熱手段の加熱量の増加を指示するための加熱量ＵＰスイッチとが含まれ、前記加熱制御手段は、前記運転状態において、いずれかの加熱手段に対して設けられた前記作動準備スイッチが非検知状態から検知状態に切り換わった後、該加熱手段に対して設けられた前記加熱量ＵＰスイッチが非検知状態から検知状態に切り換わったときに、該尾加熱手段の作動開始の処理を実行することを特徴とする。
【００１８】
かかる本発明によれば、前記加熱手段を２個以上備えて、前記作動準備スイッチと前記加熱量ＵＰスイッチとを各加熱手段に対して個別に設ける場合に、前記加熱量ＵＰスイッチを前記加熱手段の作動開始を指示するためのスイッチとして転用することで、各加熱手段に対して作動開始を指示するためのスイッチを専用に設けることが不要となる。そのため、用意する必要があるタッチスイッチの個数を減らすことができる。
【発明を実施するための最良の形態】
【００１９】
本発明の実施の形態について、図１〜図７を参照して説明する。図１は本発明のコンロの外観図、図２は図１に示した操作部の詳細図、図３はコンロの制御ブロック図、図４〜図６はバーナの点火処理のフローチャート、図７はチャイルドロック及びチャイルドロック解除のフローチャートである。
【００２０】
図１は、コンロ本体１の上面に、耐熱性に優れた結晶化ガラスで形成されたガラス天板２を装着したドロップイン式のコンロを示している。ガラス天板２には、左右一対のコンロ開口３ａ，３ｂが開設されている。そして、コンロ本体１内に、各コンロ開口３ａ，３ｂに臨ませて、左バーナ４ａ及び右バーナ４ｂ（本発明の加熱手段に相当する）が設けられている。また、コンロ開口３ａ，３ｂには、調理容器を載置する五徳５ａ，５ｂが配置され、ガラス天板２の上面の手前側に、左バーナ４ａ及び右バーナ４ｂの作動を指示するための操作部６が設けられている。
【００２１】
図２を参照して、操作部６に備えられた運転スイッチ１０は、コンロに電源が投入された状態で、運転スイッチ１０以外の他のスイッチの操作が可能な「運転状態」と、運転スイッチ１０以外の他のスイッチの操作が不能な「待機状態」とを切り換えるためのものである。「運転状態」においては、左バーナ４ａ及び右バーナ４ｂの作動指示が可能である。
【００２２】
また、操作部６には、左バーナ４ａの作動を指示するために、左バーナ４ａの点火を許可する点火準備状態とする点火準備スイッチ１１ａ（本発明の作動準備スイッチに相当する）、左バーナ４ａの火力を５段階（レベル１〜レベル５）に切り換える火力ＤＯＷＮスイッチ１２ａと火力ＵＰスイッチ１３ａ（本発明の加熱量ＵＰスイッチに相当する）、左バーナ４ａが点火準備状態にあるときと左バーナ４ａの作動中に点灯する点火準備表示部１４ａ、及び左バーナ４ａの火力設定を表示する火力レベル表示部１５ａが設けられている。
【００２３】
なお、左バーナ４ａが点火準備状態にあるときに、火力ＵＰスイッチ１３ａが操作されたときには、左バーナ４ａの点火処理が実行される。また、左バーナ４ａの燃焼中に点火準備スイッチ１１ａ又は運転スイッチ１０が操作されたときは、左バーナ４ａの消火処理が実行される。
【００２４】
同様に、右バーナ４ｂの作動を指示するために、右バーナ４ｂの点火を許可する点火準備状態とする点火準備スイッチ１１ｂ（本発明の作動準備スイッチに相当する）、右バーナ４ｂの火力を５段階（レベル１〜レベル５）に切り換える火力ＤＯＷＮスイッチ１２ｂと火力ＵＰスイッチ１３ｂ（本発明の加熱量ＵＰスイッチに相当する）、右バーナ４ｂが点火準備状態にあるときと右バーナ４ｂの作動中に点灯する点火準備表示部１４ｂ、及び右バーナ４ｂの火力設定を表示する火力レベル表示部１５ｂが設けられている。
【００２５】
なお、右バーナ４ｂが点火準備状態にあるときに、火力ＵＰスイッチ１３ｂが操作されたときには、右バーナ４ｂの点火処理が実行される。また、右バーナ４ｂの燃焼中に点火準備スイッチ１１ｂ又は運転スイッチ１０が操作されたときは、右バーナ４ｂの消火処理が実行される。
【００２６】
さらに、操作部６には、「運転状態」にあるときに点灯するアンロック表示部１６と、運転スイッチ１０が所定時間（例えば４秒）以上連続して操作されて、全てのスイッチの操作が不能ないわゆるチャイルドロック状態となったときに点灯するロック表示部１７とが備えられている。
【００２７】
ここで、操作部６の各スイッチは、ガラス天板２の裏面に設けられた静電容量センサと、該静電容量センサと対向したガラス天板２の表面部分にプリントされて各スイッチのタッチポイントを示すプリント部分とにより構成された無接点型のタッチスイッチである。そして、該プリント部分（静電容量センサに対向したガラス天板２の表面部分）に静電体が置かれているときは、静電容量センサにより該静電体が検出されてタッチスイッチはｏｎ状態（本発明の検知状態に相当する）となる。一方、該プリント部分に静電体が置かれていないときには、静電容量センサにより該静電体が検出されず、タッチスイッチはｏｆｆ状態（本発明の非検知状態に相当する）となる。
【００２８】
また、操作部６の各表示部は、ガラス天板２の裏面に設けられたＬＥＤと、該ＬＥＤと対向したガラス天板２の表面部分にプリントされたプリント部分とにより構成される。そして、ＬＥＤをＯＮしたときに表示部が点灯状態になり、ＬＥＤをＯＦＦしたときに表示部は消灯状態となる。なお、ガラス天板２の表面部分に前記プリント部分を設けずに、ガラス天板２の裏面に設けられたＬＥＤ等の点灯手段のみによって、表示部を構成してもよい。
【００２９】
また、火力レベル表示部１５ａは、左バーナ４ａの火力レベル（レベル１〜レベル５）を、図示した５個の点灯部分からなるバー表示の左側からの点灯部分の点灯個数で表示する。例えば、左バーナ４ａの火力レベルが１であるときはバー表示の左端の点灯部分のみを点灯し、左バーナ４ａの火力レベルが５であるときはバー表示の５個の点灯部分が全て点灯する。同様に、火力レベル表示部１５ｂは、右バーナ４ｂの火力レベル（レベル１〜レベル５）を、図示した５個の点灯部分からなるバー表示の左側からの点灯部分の点灯個数で表示する。
【００３０】
次に、図３を参照して、コンロ本体１内には、コンロの全体的な作動を制御するコントローラ３０が備えられ、操作部６の各スイッチ（運転スイッチ１０、点火準備スイッチ１１ａ，１１ｂ、火力ＤＯＷＮスイッチ１２ａ，１２ｂ、火力ＵＰスイッチ１３ａ，１３ｂ）の操作状態（ｏｎ／ｏｆｆ）の検知信号がコントローラ３０に入力される。
【００３１】
また、コントローラ３０から出力される制御信号によって、コンロ本体１への燃料ガスの供給と遮断とを切り換えるガス元弁４０、左バーナ４ａへの燃料ガスの供給と遮断とを切り換える左バーナ用開閉弁４１ａ、左バーナ４ａへの燃料ガスの供給流量を変更する左バーナ用火力調節弁４２ａ（本発明の加熱量変更手段に相当する）、左バーナ４ａの点火電極（図示しない）に高電圧を印加して火花放電を生じさせる左バーナ用イグナイタ４３ａ、右バーナ４ｂへの燃料ガスの供給と遮断とを切り換える右バーナ用開閉弁４１ｂ、右バーナ４ｂへの燃料ガスの供給流量を変更する右バーナ用火力調節弁４２ｂ（本発明の加熱量変更手段に相当する）、右バーナ４ｂの点火電極（図示しない）に高電圧を印加して火花放電を生じさせる右バーナ用イグナイタ４３ｂの作動が制御される。
【００３２】
さらに、コントローラ３０から出力される制御信号によって、操作部６に備えられた各表示部（点火準備表示部１４ａ，１４ｂ、火力レベル表示部１５ａ，１５ｂ、アンロック表示部１６、ロック表示部１７）の点灯／消灯と、ブザー１８のｏｎ／ｏｆｆが制御される。
【００３３】
また、コントローラ３０には、左バーナ４ａと右バーナ４ｂの作動を制御する加熱制御手段３１と、操作部６に備えられた各表示部の点灯／消灯の制御とブザー１８による報知を行う点灯制御手段３２とが備えられている。
【００３４】
ここで、上述したように、操作部６に設けられたタッチスイッチは、ガラス天板２の上面に所在する静電体の有無を検知するものである。そのため、使用者が指でタッチスイッチに触れた場合の他に、図１（ｂ）に示したように、左バーナ４ａのみを使用して鍋２０内の調理物を加熱していたときに、調理物のふきこぼれ２１が生じ、該ふきこぼれ２１が操作部６に達して右バーナ４ｂ用のタッチスイッチがｏｆｆ状態からｏｎ状態に切り換わることが生じ得る。
【００３５】
或いは、調理中に使用者が無意識にタッチスイッチに触れた場合や、子供のいたずら、ガラス天板２上の落下物（布巾、食材等）、ガラス天板２上に置かれた調理容器等によりタッチスイッチがｏｆｆ状態からｏｎ状態に切り換わることも生じ得る。
【００３６】
そこで、コントローラ３０に備えられた加熱制御手段３１は、このように、使用者の意に反してタッチスイッチがｏｆｆ状態からｏｎ状態に切り変わったときに、誤って左バーナ４ａや右バーナｂに対する点火操作の指示が受け付けられないようにするための処理を行う。以下、図４〜図７のフローチャートに従って、かかるこれらの処理について説明する。なお、図４〜図７のフローチャートは主として左バーナ４ａに対する処理であるが、右バーナ４ｂに対する処理も同様である。
【００３７】
先ず、図４のＳＴＥＰ１〜ＳＴＥＰ６は、運転スイッチ１０がＯＦＦ状態からＯＮ状態に切り換わり、さらにＯＦＦ状態に復帰したことを認識するための処理である。コンロに電源が投入されてコントローラ３０が作動を開始すると「待機状態」となり、加熱制御手段３１は図４のＳＴＥＰ１で運転スイッチ１０がｏｎ状態となるのを待つ。
【００３８】
そして、運転スイッチ１０がｏｎ状態となったときに、ＳＴＥＰ２に進んで２秒タイマと４秒タイマをスタートさせ、続くＳＴＥＰ３とＳＴＥＰ３０からなるループで、ＳＴＥＰ３０で運転スイッチ１０がｏｎ状態に維持されていることを確認しながらＳＴＥＰ３で２秒タイマのタイムアップを待つ。
【００３９】
ＳＴＥＰ３で２秒タイマがタイムアップしたとき、すなわち、運転スイッチ１０のｏｎ状態が２秒以上継続したときはＳＴＥＰ４に進む。ＳＴＥＰ４，ＳＴＥＰ５は点灯制御手段３２による処理であり、点灯制御手段３２はアンロック表示部１６を点灯すると共にブザー１８を鳴動させ、これにより運転スイッチ１０の操作が受け付けられたことを使用者に報知する。
【００４０】
一方、ＳＴＥＰ３０で運転スイッチ１０がｏｎ状態でなくなったときは、ノイズ等により運転スイッチ１０が瞬間的にｏｎ状態となったと判断できる。そのため、この場合はＳＴＥＰ１に戻り、加熱制御手段３１は、再び運転スイッチ１０がｏｆｆＦ状態からｏｎ状態に切り換わるのを待つ。
【００４１】
加熱制御手段３１は、ＳＴＥＰ６とＳＴＥＰ３５からなるループで、ＳＴＥＰ３５で４秒タイマのタイムアップを確認しながらＳＴＥＰ６で運転スイッチ１０がｏｆｆ状態となるのを待つ。
【００４２】
ＳＴＥＰ６で運転スイッチ１０がｏｆｆ状態となったとき、すなわち、ＳＴＥＰ１で運転スイッチ１０がｏｎ状態となってから４秒が経過する前に運転スイッチ１０がｏｆｆ状態に復帰したときは、ＳＴＥＰ７に進んで、加熱制御手段３１は１５分タイマをスタートさせる。
【００４３】
一方、ＳＴＥＰ３５で４秒タイマがタイムアップしたとき、すなわち、運転スイッチ１０のｏｎ状態が４秒以上継続したときは、図７のＳＴＥＰ８０に進む。図７はチャイルドロックの処理であり、点灯制御手段３２は、ＳＴＥＰ８０でアンロック表示部１６を消灯し、ＳＴＥＰ８１でロック表示部１７を点灯して、ＳＴＥＰ８２でブザー１８を鳴動させる。
【００４４】
そして、加熱制御手段３１は、次のＳＴＥＰ８３で運転スイッチ１０がｏｎ状態となるのを待つ。これにより、運転スイッチ１０の操作によりチャイルドロック状態が解除されるまで、全てのスイッチに対する操作が不能なチャイルドロック状態となる。チャイルドロック状態で使用者が運転スイッチ１０に触れて運転スイッチ１０がｏｎ状態となると、ＳＴＥＰ８３からＳＴＥＰ８４に進み、加熱制御手段３１は４秒タイマをスタートさせる。
【００４５】
続いて、加熱制御手段３１は、ＳＴＥＰ８５とＳＴＥＰ９０とからなるループで、ＳＴＥＰ９０で運転スイッチ１０がＯＮ状態であるか否かを確認しながらＳＴＥＰ８５で４秒タイマのタイムアップを待つ。ＳＴＥＰ８５で４秒タイマがタイムアップしたとき、すなわち、チャイルドロック状態で使用者が運転スイッチ１０に触れ続けて、運転スイッチ１０が４秒以上継続してｏｎ状態となったときＳＴＥＰ８６に進む。そして、次のＳＴＥＰ８６で点灯制御手段３２がロック表示部１７を消灯し、ＳＴＥＰ８７でブザー１８を鳴動させて図４のＳＴＥＰ１に進む。これによりチャイルドロック状態が解除される。
【００４６】
図４のＳＴＥＰ６で運転スイッチ１０がｏｆｆ状態となったとき、すなわち、ＳＴＥＰ１で運転スイッチ１０がｏｎ状態となってから４秒が経過する前に、運転スイッチ１０がｏｆｆ状態となったときは、ＳＴＥＰ７に進み、コントローラ３０は１５分タイマをスタートさせる。
【００４７】
次に、ＳＴＥＰ８〜図５のＳＴＥＰ１４は、点火準備スイッチ１１ａがｏｆｆ状態からｏｎ状態に切り換わり、さらにｏｆｆ状態に復帰したことを認識するための処理である。加熱制御手段３１は、ＳＴＥＰ８とＳＴＥＰ４０からなるループにより、ＳＴＥＰ４０で１５分タイマのタイムアップの有無を確認しながら、ＳＴＥＰ８で点火準備スイッチ１１ａがｏｆｆ状態からｏｎ状態に切り換わるのを待つ。そして、ＳＴＥＰ８で点火準備スイッチ１１ａがｏｎ状態となったときに、図５のＳＴＥＰ９に進む。
【００４８】
一方、ＳＴＥＰ４０で１５分タイマがタイムアップしたとき、すなわち、ＳＴＥＰ６で運転スイッチ１０がＯＦＦ状態になった時から１５分が経過するまでに、点火準備スイッチ１１ａがｏｎ状態とならなかったときは、ＳＴＥＰ４１に進み、コントローラ３０はアンロック表示部１６を消灯し、ＳＴＥＰ４２でブザー１８を鳴動させてＳＴＥＰ１に戻り「待機状態」となる。これにより、使用者が運転スイッチ１０を操作した後、１５分が経過するまでに左バーナ４ａの点火操作をしなかったときに、コンロを「待機状態」に復帰させる。
【００４９】
図５のＳＴＥＰ９で、加熱制御手段３１は１秒タイマをスタートさせ、続くＳＴＥＰ１０とＳＴＥＰ５０からなるループにより、ＳＴＥＰ５０で点火準備スイッチ１１ａがｏｎ状態であるか否かを確認しながらＳＴＥＰ１０で１秒タイマのタイムアップを待つ。そして、ＳＴＥＰ１０で１秒タイマがタイムアップしたとき、すなわち、点火準備スイッチ１１ａが１秒以上継続してｏｎ状態となったときに、ＳＴＥＰ１１に進む。
【００５０】
一方、ＳＴＥＰ５０で１秒タイマがタイムアップしたとき、すなわち、点火準備スイッチ１１ａが１秒未満ｏｎ状態となったときには、ノイズ等により点火準備スイッチ１１ａが瞬間的にｏｎ状態となったと判断できる。そのため、この場合は図４のＳＴＥＰ７に戻り、加熱制御手段３１は、再び点火準備スイッチ１１ａがｏｆｆ状態からｏｎ状態に切り換わるのを待つ。
【００５１】
ＳＴＥＰ１１〜ＳＴＥＰ１２は点灯制御手段３２による処理であり、点灯制御手段３２は、ＳＴＥＰ１１で点火準備表示部１４ａを点灯し、ＳＴＥＰ１２でブザー１８を鳴動させる。そして、加熱制御手段３１は、ＳＴＥＰ１３で２秒タイマをスタートさせ、次のＳＴＥＰ１４とＳＴＥＰ５５からなるループにより、ＳＴＥＰ５５で２秒タイマのタイムアップの有無を確認しながら、ＳＴＥＰ１４で点火準備スイッチ１１ａがｏｆｆ状態となるのを待つ。
【００５２】
ＳＴＥＰ１４で点火準備スイッチ１１ａがｏｆｆ状態となったとき、すなわち、点火準備スイッチ１１ａが１秒間ｏｎ状態となった後、２秒以内に点火準備スイッチ１１ａがｏｎ状態からｏｆｆ状態に復帰したときに、ＳＴＥＰ１５に進んで、加熱制御手段３１は１０秒タイマをスタートさせる。
【００５３】
一方、ＳＴＥＰ５５で２秒タイマがタイムアップしたとき、すなわち、点火準備スイッチ１１ａが１秒間ｏｎ状態となった後、さらに２秒間点火準備スイッチ１１ａが継続してｏｎ状態となったときは、ＳＴＥＰ５６に進む。そして、コントローラ３０は、ＳＴＥＰ５６で点火準備表示部１４ａを消灯し、ＳＴＥＰ５７でブザー１８を鳴動させて図４のＳＴＥＰ７に戻る。これにより、煮こぼれ等により点火準備スイッチ１１ａがｏｎ状態に維持される状況となったときには、ＳＴＥＰ１５以降の処理が禁止され、左バーナ４ａの点火処理は実行されない。
【００５４】
次に、ＳＴＥＰ１５〜図６のＳＴＥＰ１９は、火力ＵＰスイッチ１３ａがｏｆｆ状態からｏｎ状態に切り換わり、さらにｏｆｆ状態に復帰したことを認識するための処理である。加熱制御手段３１は、ＳＴＥＰ１５で１０秒タイマをスタートさせて図６のＳＴＥＰ１６に進み、ＳＴＥＰ１６とＳＴＥＰ６０からなるループにより、ＳＴＥＰ６０で１０秒タイマのタイムアップの有無を確認しながら、ＳＴＥＰ１６で火力ＵＰスイッチ１３ａがＯＦＦ状態からＯＮ状態に切り換わるのを待つ。
【００５５】
ＳＴＥＰ１６で火力ＵＰスイッチ１３ａがｏｎ状態となったとき、すなわち、点火準備スイッチ１１ａがｏｆｆ状態となってから１０秒以内に火力ＵＰスイッチ１３ａがｏｎ状態に切り換わったときは、ＳＴＥＰ１７に進む。ＳＴＥＰ１７とＳＴＥＰ１８は点灯制御手段３２による処理であり、点灯制御手段３２は、ＳＴＥＰ１７で火力レベル表示部１５ａをレベル４で点灯し、ＳＴＥＰ１８でブザー１８を鳴動させてＳＴＥＰ１９に進む。
【００５６】
ここで、ＳＴＥＰ１６で火力ＵＰスイッチ１３ａがｏｎ状態となったときに、後述するＳＴＥＰ２０で実行される左バーナ４ａの点火処理に先行して、ＳＴＥＰ１７で火力レベル表示部１５ａを点灯させることにより、使用者に点火指示が受け付けられたことを報知している。
【００５７】
一方、ＳＴＥＰ６０で１０秒タイマがタイムアップしたとき、すなわち、点火準備スイッチ１１ａがｏｆｆ状態となってから１０秒が経過しても火力ＵＰスイッチ１３ａがｏｎ状態に切り換わらなかったときには、ＳＴＥＰ６１に進む。ＳＴＥＰ６１とＳＴＥＰ６２は点灯制御手段３２による処理であり、点灯制御手段３２は、ＳＴＥＰ６１で点灯準備表示部１４ａを消灯し、ＳＴＥＰ６２でブザー１８を鳴動させて図４のＳＴＥＰ７に戻る。これにより、加熱制御手段３１は、再び点火準備スイッチ１１ａがｏｆｆ状態からｏｎ状態に切り換わるのを待つ。
【００５８】
加熱制御手段３１は、ＳＴＥＰ１９とＳＴＥＰ６５からなるループにより、ＳＴＥＰ６５で１０秒タイマのタイムアップの有無を確認しながらＳＴＥＰ１９で火力ＵＰスイッチ１３ａがｏｆｆ状態に復帰するのを待つ。そして、ＳＴＥＰ１９で火力ＵＰスイッチ１３ａがｏｆｆ状態に復帰したときにＳＴＥＰ２０に進み、加熱制御手段３１は、イグナイタ４３ａを作動させて点火電極に火花放電を生じさせた状態で、ガス元弁４０と左バーナ用開閉弁４１ａを開弁し、左バーナ用火力調節弁４２ａを火力レベル４に設定して左バーナ４ａの点火処理（本発明の加熱手段の作動開始の処理に相当する）を実行する。
【００５９】
一方、ＳＴＥＰ６５で１０秒タイマがタイムアップしたとき、すなわち点火準備スイッチ１１ａがｏｎ状態となってから１０秒以内に、火力ＵＰスイッチ１３ａがｏｆｆ状態からｏｎ状態に切り換わり、さらにｏｆｆ状態に復帰しなかったときは、ＳＴＥＰ６６に進む。ＳＴＥＰ６６からＳＴＥＰ６８は点灯制御手段３２による処理であり、点灯制御手段３２は、ＳＴＥＰ６６で点火準備表示部１４ａを消灯し、ＳＴＥＰ６７で火力レベル表示部１５ａを消灯し、ＳＴＥＰ６８でブザー１８を鳴動させて図４のＳＴＥＰ７に戻る。
【００６０】
以上説明したように、加熱制御手段３１は、運転スイッチ１０がｏｆｆ状態→ｏｎ状態→ｏｆｆ状態と切り換わった後、点火準備スイッチ１１ａがｏｆｆ状態→ｏｎ状態→ｏｆｆ状態と切り換わり、さらに火力ＵＰスイッチ１３ａがｏｆｆ状態→ｏｎ状態→ｏｆｆ状態と切り換わったときに、左バーナ４ａの点火処理を実行する。
【００６１】
そのため、使用者が無意識に操作部６に触れた場合や、子供のいたずら、調理物の煮こぼれ等によって、運転スイッチ１０、点火準備スイッチ１１ａ、及び火力ＵＰスイッチ１３ａのうちのいずれか１個のみがｏｆｆ状態からｏｎ状態に切り換わったとき、或いはさらにｏｎ状態からｏｆｆ状態に復帰したときに、左バーナ４ａの点火処理が実行されることがない。
【００６２】
また、「運転状態」となった後においても、点火準備スイッチ１１ａと火力ＵＰスイッチ１３ａのうちのいずれか一方のみがｏｆｆ状態からｏｎ状態に切り換わったとき、或いはさらにｏｎ状態からｏｆｆ状態に復帰したときに、左バーナ４ａの点火処理が実行されることがない。
【００６３】
なお、本実施の形態では、本発明の加熱手段としてガスバーナ４ａ，４ｂを備えたコンロを示したが、電気ヒータ等の他の種類の加熱手段を備えたコンロに対しても本発明の適用が可能である。
【００６４】
また、本実施の形態では、本発明のタッチスイッチとして静電容量型のタッチスイッチを採用したコンロを示したが、タッチスイッチの種類はこれに限られず、赤外線の発行部／受光部を備えたフォトスイッチやタクトスイッチ等の機械接点式のタッチスイッチを採用したコンロであっても、本発明の適用が可能である。
【００６５】
また、本実施の形態では、本発明の天板として耐熱ガラスを用いたガラス天板２を備えたコンロを示したが、タッチスイッチの種類によっては、ステンレス等の他の素材の天板を備えたコンロに対しても本発明の適用が可能である。
【００６６】
また、本実施の形態では、加熱手段であるバーナを２個備えたコンロを示したが、加熱手段を１個備えたコンロや加熱手段を３個以上備えたコンロに対しても本発明の適用が可能である。
【００６７】
また、本実施の形態では、運転スイッチを備えたコンロを示したが、運転スイッチをもたないコンロにおいても本発明の効果を得ることができる。
【００６８】
また、本実施の形態では、火力ＵＰスイッチ１３ａ，１３ｂを、それぞれ左バーナ４ａ，４ｂの点火を指示するスイッチと兼用させて、操作部６におけるタッチスイッチの個数を減少させたが、左バーナ４ａ，４ｂの点火を指示するためのスイッチを火力ＵＰスイッチ１３ａ，１３ｂとは別個に設けるようにしてもよい。
【００６９】
また、本実施の形態では、図４〜図６のフローチャートにおいて、運転スイッチ１０、点火準備スイッチ１１ａ、及び火力ＵＰスイッチ１３ａについて、ｏｆｆ状態からｏｎ状態に切り換わった後、ｏｎ状態からｏｆｆ状態に復帰したときに次のＳＴＥＰに進むようにしたが、ｏｆｆ状態からｏｎ状態に切り変わったときに次のＳＴＥＰに進むようにした場合でも、本発明の効果を得ることができる。
【図面の簡単な説明】
【００７０】
【図１】本発明のコンロの外観図。
【図２】図１に示した操作部の詳細図。
【図３】コンロの制御ブロック図。
【図４】バーナ点火処理のフローチャート。
【図５】バーナ点火処理のフローチャート。
【図６】バーナ点火処理のフローチャート。
【図７】チャイルドロック及びチャイルドロック解除のフローチャート。
【図８】従来のコンロの外観図。
【符号の説明】
【００７１】
１…コンロ本体、２…ガラス天板、４ａ…左バーナ、４ｂ…右バーナ、６…操作部、１０…運転スイッチ、１１ａ，１１ｂ…点火準備スイッチ、１２ａ，１２ｂ…火力ＤＯＷＮスイッチ、１３ａ，１３ｂ…火力ＵＰスイッチ、１４ａ，１４ｂ…点火準備表示部、１５ａ，１５ｂ…火力レベル表示部、１６…アンロック表示部、１７…ロック表示部、３１…加熱制御手段、３２…点灯制御手段
【図１】
2005291661.tif 000003
【図２】
2005291661.tif 000004
【図３】
2005291661.tif 000005
【図４】
2005291661.tif 000006
【図５】
2005291661.tif 000007
【図６】
2005291661.tif 000008
【図７】
2005291661.tif 000009
【図８】
2005291661.tif 000010